【事件の表示】
　特願２０１４−　　１８７７「エネルギー管理装置、およびエネルギー管理システム」拒絶査定不服審判事件〔平成２７年　７月１６日出願公開、特開２０１５−１３０７６８〕について、次のとおり審決する。
【結　論】
　本件審判の請求は、成り立たない。
【理　由】
第１　手続の経緯
　本願は、平成２６年１月８日に出願したものであって、手続の概要は以下のとおりである。
　拒絶理由通知　　　　　　　：平成２９年　５月１９日（起案日）
　意見書　　　　　　　　　　：平成２９年　７月１８日
　手続補正　　　　　　　　　：平成２９年　７月１８日
　拒絶査定　　　　　　　　　：平成２９年　９月　７日（起案日）
　拒絶査定不服審判請求　　　：平成２９年１２月１２日
　手続補正　　　　　　　　　：平成２９年１２月１２日
　上申書　　　　　　　　　　：平成３０年　３月　５日
第２　平成２９年１２月１２日付けの手続補正についての補正却下の決定
［補正却下の決定の結論］
　平成２９年１２月１２日付けの手続補正を却下する。
［理由］
１．本件補正
　平成２９年１２月１２日付けの手続補正（以下「本件補正」という。）は、特許請求の範囲及び明細書についてするもので、請求項１については、本件補正前に、
「　【請求項１】
　蓄電池と、発電時に湯を生成してこの生成した湯を貯める貯湯タンクの貯湯量が所定量以上になれば発電を停止するコージェネレーション装置とを用いた負荷への電力供給を管理するエネルギー管理装置であって、
　前記負荷の消費電力、前記蓄電池の蓄電電力、貯湯タンクの貯湯量の各情報を取得する情報取得部と、
　前記貯湯量に基づいて前記コージェネレーション装置が発電を継続できる発電可能時間を導出する時間演算部と、
　前記蓄電池の蓄電電力、前記コージェネレーション装置の前記発電可能時間、前記負荷の消費電力に基づいて、前記蓄電池と前記コージェネレーション装置とを用いて前記負荷に供給可能な電力に関する給電情報を生成し、この給電情報を報知部へ出力する給電情報生成部と
　を備え、
　前記情報取得部は、計測装置との通信により、前記負荷の消費電力の情報を取得する
　ことを特徴とするエネルギー管理装置。」
とあったところを、
本件補正後、
「　【請求項１】
　蓄電池と、発電時に湯を生成してこの生成した湯を貯める貯湯タンクの貯湯量が所定量以上になれば発電を停止するコージェネレーション装置とを用いた
複数の
　前記複数の負荷は、停電時に前記コージェネレーション装置の発電電力が供給される特定負荷と、前記停電時に前記コージェネレーション装置の発電電力が供給されない一般負荷とを含み、
　前記
特定
　前記貯湯量に基づいて前記コージェネレーション装置が発電を継続できる発電可能時間を導出する時間演算部と、
　前記蓄電池の蓄電電力、前記コージェネレーション装置の前記発電可能時間、前記
特定
、停電時に
特定
　を備え、
　前記情報取得部は、計測装置との通信により、前記
特定
　ことを特徴とするエネルギー管理装置。」
とするものである。
　上記本件補正の内容は、請求項１について、発明特定事項である「負荷」について「
複数の
特定
停電時に
特定
　本件補正は、発明特定事項を限定するものであるから、特許法第１７条の２第５項第２号に掲げる特許請求の範囲の減縮を目的とするものに該当する。
　そこで、本件補正後の請求項１に係る発明（以下「本件補正発明」という。）が特許出願の際独立して特許を受けることができるものであるか（特許法第１７条の２第６項において準用する同法第１２６条第７項に規定する要件を満たすか）否かについて、以下検討する。
２．引用例
　原査定の拒絶の理由に引用された国際公開第２０１３／０６９１７４号（２０１３年５月１６日公開、以下「引用例」という。）には、図面と共に、以下の記載がある。（なお、下線は当審で付与した。）
（１）「［0001］
　本発明は、少なくとも電力と熱を供給する
熱電併給システム
（２）「［0045］
　図１に示すように、本発明の実施の形態１に係る
熱電併給システム１０１は、熱電併給装置１０２備えている。
（３）「［0047］
　また、
熱電併給システム１０１は、
熱電併給装置１０２で発電の際に発生する熱を蓄熱するための蓄熱器１０３を備えている。
蓄熱器１０３は、
貯湯タンクを用いて構成されており、熱電併給装置１０２で発生する熱を、熱交換器
を介して温水に変換し、その温水を貯湯タンクに蓄えることで蓄熱する。
（４）「［0048］
　また、この
熱電併給システム１０１は、
表示器１０４を備える。
（５）「［0049］
　また、この
熱電併給システム１０１は、
制御器１０６を備えている。
制御器１０６は、蓄熱器１０３が蓄熱できる熱量である最大蓄熱量と蓄熱器１０３が蓄熱している熱量である現在蓄熱量との差である空き蓄熱量に基づいて残発電時間を算出し、算出した残発電時間を表示器１０４に表示させる。
（６）「［0050］
　この制御器１０６は、例えば、図１では特に図示しないが、中央演算処理装置（ＣＰＵ）やメモリ等を備えている。なお、熱電併給システム１０１の各構成要素の動作に係るプログラムは予め制御器１０６のメモリに記憶されており、このメモリに記憶されているプログラムに基づいて、
制御器１０６が熱電併給システム１０１の動作を
制御する。
（７）「［0051］
　また、この熱電併給システム１０１は分電盤１３１を介して電気事業者の系統電源１５２の電力ラインに接続されている。これにより
熱電併給装置１０２が発電した電力は家庭内の電力負荷１５３に電力を供給することが可能となっている。
（８）「［0062］
　しかしながら、熱電併給システム１０１が上述のように非常用電源として動作している場合には、二つの大きな制約事項がある。一つの制約事項は、蓄熱器１０３の蓄熱量の限界による発電停止である。先に述べたように
熱電併給装置１０２は発電時に熱が発生するが、
熱を蓄熱器１０３に蓄熱している。
この蓄熱量が上限に達すると
熱電併給装置１０２の発電を停止させなければならない。
（９）「［0066］
　また、貯湯タンク１０３ａの下部は市水１５５と、貯湯タンク１０３ａの上部は家庭内の熱負荷１５４と配管で接続されている。また、
貯湯タンク１０３ａの蓄熱量を測定する温度検知器（図示せず）が貯湯タンク１０３ａに複数配置されている。
（１０）「［0084］
　表示１７２ａは熱電併給装置１０２の起動、発電、停止などの状態表示を行っている表示部１７１の表示内容である。表示１７２ｂは
貯湯タンク１０３ａに貯まっているお湯の量を４段階表示で行っている
（１１）「［0085］
　また、
表示部１７１の表示内容である表示１７１ａは熱電併給装置１０２の発電電力に関する表示であり、
表示１７１ａには、現在の発電電力の表示１７３ａ
が含まれる。
［0086］
　また、
表示部１７１の表示内容である表示１７１ｂには、現在の発電電力（表示１７３ａの値）で発電を継続した場合の残発電時間の表示１７４ａ
が含まれる。
（１２）「［0103］
　（実施の形態２）
　以下に、本発明にかかる実施の形態２の熱電併給システム１０１ａについて説明する。図７は、本発明の実施の形態２における熱電併給システム１０１ａの構成を模式的に示すブロック図である。実施の形態１と同一構成のものについては同一符号を付し、説明を省略する。実施の形態１と異なる点は、
蓄電池２０１を備えた
制御器１０６ａ内に記憶部２０２を備えた
（１３）「［0105］
　また、
記憶部２０２には電力負荷１５３の電力需要データ
が随時記録されている。
（１４）「［0108］
　このような動作によって、
熱電併給システム１０１ａは系統電源１５２が停電した際の非常用電源として機能する。
（１５）「［0124］
　図８において、
表示部１７１には、
蓄電池２０１の充電状態が５段階で表示される。
（１６）「［0125］
　また、
表示部１７１には、蓄電池２０１の供給電力に関する表示である表示２７３が表示され、
現在の供給電力量の表示２７３ａ
が含まれる。
　上記摘示事項及び図面の記載から以下のことがいえる。
（ａ）引用例には、「熱電併給システム」が記載されている（摘示事項（１））。
（ｂ）熱電併給システムは、「熱電併給装置」を備えている（摘示事項（２））。
（ｃ）熱電併給システムは、熱電併給装置で発電の際に発生する熱を蓄熱するための「蓄熱器」を備えている。蓄熱器は、貯湯タンクを用いて構成されており、熱電併給装置で発生する熱を、熱交換器を介して温水に変換し、その温水を貯湯タンクに蓄えることで蓄熱する（摘示事項（３））。
（ｄ）熱電併給システムは、「表示器」を備える（摘示事項（４））。
（ｅ）熱電併給システムは、「制御器」を備えている。制御器は、蓄熱器が蓄熱できる熱量である最大蓄熱量と蓄熱器が蓄熱している熱量である現在蓄熱量との差である空き蓄熱量に基づいて残発電時間を算出し、算出した残発電時間を表示器に表示させる（摘示事項（５））。
（ｆ）制御器が熱電併給システムの動作を制御する（摘示事項（６））。
（ｇ）熱電併給装置が発電した電力は家庭内の「電力負荷」に電力を供給することが可能となっている（摘示事項（７））。
（ｈ）熱電併給装置は発電時に熱が発生するが、その熱を蓄熱器に蓄熱している。この蓄熱量が上限に達すると熱電併給装置の発電を停止させなければならない（摘示事項（８））。
（ｉ）貯湯タンクの蓄熱量を測定する温度検知器が貯湯タンクに複数配置されている（摘示事項（９））。
（ｊ）表示器には、貯湯タンクに貯まっているお湯の量が４段階で表示される（摘示事項（１０））。
（ｋ）表示器には、熱電併給装置の現在の発電電力と現在の発電電力で発電を継続した場合の残発電時間とが表示される（摘示事項（１１））。
（ｌ）熱電併給システムは、「蓄電池」を備え、制御器内に記憶部を備える（摘示事項（１２））。
（ｍ）記憶部には電力負荷の電力需要データが随時記録されている（摘示事項（１３））。
（ｎ）熱電併給システムは系統電源が停電した際の非常用電源として機能する（摘示事項（１４））。
（ｏ）表示器には、蓄電池の充電状態が５段階で表示される（摘示事項（１５））。
（ｐ）表示器には、蓄電池の現在の供給電力が表示される（摘示事項（１６））。
　以上を総合勘案し、「熱電併給システムの制御器」の発明として捉えると、引用例には、次の発明（以下「引用発明」という。）が記載されているものと認める。
「熱電併給システムの制御器であって、
　熱電併給システムは、熱電併給装置と、蓄熱器と、表示器と、制御器と、蓄電池とを備え、系統電源が停電した際の非常用電源として機能し、
　蓄熱器は、熱電併給装置で発電の際に発生する熱を蓄熱するためのものであり、貯湯タンクを用いて構成されており、熱電併給装置で発生する熱を、熱交換器を介して温水に変換し、その温水を貯湯タンクに蓄えることで蓄熱し、
　制御器は、蓄熱器が蓄熱できる熱量である最大蓄熱量と蓄熱器が蓄熱している熱量である現在蓄熱量との差である空き蓄熱量に基づいて残発電時間を算出し、算出した残発電時間を表示器に表示させ、熱電併給システムの動作を制御し、
　熱電併給装置が発電した電力は家庭内の電力負荷に電力を供給することが可能となっており、
　熱電併給装置は発電時に熱が発生するが、その熱を蓄熱器に蓄熱しており、この蓄熱量が上限に達すると熱電併給装置の発電を停止させなければならず、
　貯湯タンクの蓄熱量を測定する温度検知器が貯湯タンクに複数配置されており、
　表示器には、貯湯タンクに貯まっているお湯の量が４段階で、蓄電池の充電状態が５段階で表示されるとともに、熱電併給装置の現在の発電電力と現在の発電電力で発電を継続した場合の残発電時間と蓄電池の現在の供給電力とが表示され、
　制御器内の記憶部には電力負荷の電力需要データが随時記録されている、　熱電併給システムの制御器。」
　
３．対比
　そこで、本件補正発明と引用発明とを対比する。
（１）エネルギー管理装置
　引用発明の制御器は、熱電併給システムの動作を制御し、熱も電気もエネルギーであるから、引用発明の「熱電併給システムの制御器」は、「エネルギー管理装置」といえる。そして、引用発明の熱電併給システムは、「蓄電池」を備える。さらに、引用発明において、蓄熱器は、熱電併給装置で発電の際に発生する熱を蓄熱するためのものであり、貯湯タンクを用いて構成されており、熱電併給装置で発生する熱を、熱交換器を介して温水に変換し、その温水を貯湯タンクに蓄えることで蓄熱しており、この蓄熱量が上限に達すると熱電併給装置の発電を停止させなければならないとともに、蓄熱量が上限に達するのは、貯湯タンクがお湯で満たされたときであるから、引用発明の「熱電併給装置」は、「発電時に湯を生成してこの生成した湯を貯める貯湯タンクの貯湯量が所定量以上になれば発電を停止するコージェネレーション装置」といえる。また、熱電併給装置が発電した電力は家庭内の電力負荷に電力を供給することが可能となっている。
　したがって、本件補正発明と引用発明とは、「蓄電池と、発電時に湯を生成してこの生成した湯を貯める貯湯タンクの貯湯量が所定量以上になれば発電を停止するコージェネレーション装置とを用いた負荷への電力供給を管理するエネルギー管理装置」である点で一致する。
　もっとも、「負荷」について、本件補正発明は「
複数の
（２）特定負荷と一般負荷
　本件補正発明は、「前記複数の負荷は、停電時に前記コージェネレーション装置の発電電力が供給される特定負荷と、前記停電時に前記コージェネレーション装置の発電電力が供給されない一般負荷とを含」むのに対し、引用発明は、そのような特定がない点で相違する。
（３）情報取得部
　本件補正発明は、「前記特定負荷の消費電力、前記蓄電池の蓄電電力、貯湯タンクの貯湯量の各情報を取得する情報取得部」を備えるのに対し、引用発明は、そのような明示的な特定がない点で相違する。
（４）時間演算部
　引用発明の制御器は、蓄熱器が蓄熱できる熱量である最大蓄熱量と蓄熱器が蓄熱している熱量である現在蓄熱量との差である空き蓄熱量に基づいて残発電時間を算出する。そして、引用例の［0069］、［0070］に記載されているように、現在蓄熱量は、熱交換器による温度上昇と蓄えられた湯量との積として算出され、［0075］に記載されているように、熱電併給装置は発電時に発生した熱を回収できなくなると発電を停止するので、空き蓄熱量を満たす（つまり、貯湯タンクを温水で満たす）のに必要な時間がすなわち残発電時間となるから、残発電時間の長短は蓄えられた湯量の多少による。
　したがって、本件補正発明と引用発明とは、「前記貯湯量に基づいて前記コージェネレーション装置が発電を継続できる発電可能時間を導出する時間演算部」を備える点で一致する。
（５）給電情報生成部
　引用発明において、系統電源が停電した際に、表示器には、貯湯タンクに貯まっているお湯の量が４段階で、蓄電池の充電状態が５段階で表示されるとともに、熱電併給装置の現在の発電電力と現在の発電電力で発電を継続した場合の残発電時間と蓄電池の現在の供給電力とが表示され、表示器に表示されるこれらの情報は、「停電時に前記負荷に供給可能な電力に関する給電情報」といえる。そして、制御器が熱電併給システムの動作を制御して、熱電併給装置の現在の発電電力と蓄電池の現在の供給電力との和が電力負荷の電力需要となるようにしていることは、明らかである。
　したがって、本件補正発明と引用発明とは、「前記蓄電池の蓄電電力、前記コージェネレーション装置の前記発電可能時間、前記負荷の消費電力に基づいて、前記蓄電池と前記コージェネレーション装置とを用いて、停電時に前記負荷に供給可能な電力に関する給電情報を生成し、この給電情報を報知部へ出力する給電情報生成部」を備える点で一致する。
　もっとも、「負荷の消費電力」、「負荷に供給可能な電力」について、本件補正発明は、それぞれ、「
特定
特定
（６）計測装置との通信
　本件補正発明は、「前記情報取得部は、計測装置との通信により、前記特定負荷の消費電力の情報を取得する」のに対し、引用発明は、そのような特定がない点で相違する。
　そうすると、本件補正発明と引用発明とは、次の点で一致する。
＜一致点＞
「蓄電池と、発電時に湯を生成してこの生成した湯を貯める貯湯タンクの貯湯量が所定量以上になれば発電を停止するコージェネレーション装置とを用いた負荷への電力供給を管理するエネルギー管理装置であって、
　前記貯湯量に基づいて前記コージェネレーション装置が発電を継続できる発電可能時間を導出する時間演算部と、
　前記蓄電池の蓄電電力、前記コージェネレーション装置の前記発電可能時間、前記負荷の消費電力に基づいて、前記蓄電池と前記コージェネレーション装置とを用いて、停電時に前記負荷に供給可能な電力に関する給電情報を生成し、この給電情報を報知部へ出力する給電情報生成部と
　を備えるエネルギー管理装置。」の点。
　そして、次の点で相違する。
＜相違点１＞
　「負荷」について、本件補正発明は、「
複数の
＜相違点２＞
　「負荷の消費電力」、「負荷に供給可能な電力」について、本件補正発明は、それぞれ、「
特定
特定
＜相違点３＞
　本件補正発明は、「前記特定負荷の消費電力、前記蓄電池の蓄電電力、貯湯タンクの貯湯量の各情報を取得する情報取得部」を備えるのに対し、引用発明は、そのような明示的な特定がない点（「特定」については、＜相違点２＞と重複する）。
＜相違点４＞
　本件補正発明は、「前記情報取得部は、計測装置との通信により、前記特定負荷の消費電力の情報を取得する」のに対し、引用発明は、そのような特定がない点（「特定」については、＜相違点２＞と重複する）。
４．判断
　そこで、上記相違点について検討する。
相違点１について
　引用例の［0059］、［0060］には、家庭内の電力負荷として、照明、ＴＶ、エアコンなどの電気製品が例示されている。そして、家庭内で複数の電気製品を使用することは、ごく普通のことである。
　また、引用例の［0017］には、系統電源の停電時などの非常用電源として自立運転をしている時には、ユーザーにとって優先度の低い電気製品の電源をオフして電力消費量を低減し、発電時間を延長して優先度の高い電気製品への電力供給を長く継続させることが記載されている。そして、停電時において、一般負荷への電力の供給を停止し、電力を特定負荷に供給することは、周知である（例えば、特開２０１３−２４７８４６号公報の【００７４】及び図１、特開２００６−２３０１４７号公報の【００１７】及び図１参照。ただし、特開２００６−２３０１４７号公報においては、「重要負荷」が本件補正発明の「特定負荷」に相当する。）。
　したがって、引用発明において、「家庭内の電力負荷」を「複数の負荷」とし、「家庭内の電力負荷」をユーザーにとって優先度の低い電気製品と優先度の高い電気製品とに分けて、優先度の高い電気製品を停電時に熱電併給装置の発電電力が供給される「特定負荷」とし、優先度の低い電気製品を停電時に熱電併給装置の発電電力が供給されない「一般負荷」として、相違点１の構成とすることは、当業者が適宜為し得る。
相違点２について
　引用発明において、熱電併給システムは、系統電源が停電した際の非常用電源として機能する。そして、停電時において、「電力負荷の電力需要」は、停電時に熱電併給装置の発電電力が供給される電力負荷の電力需要であり、「電力負荷への電力供給」は、停電時に熱電併給装置の発電電力が供給される電力負荷への電力供給である。
　したがって、引用発明において、「電力負荷」を停電時に熱電併給装置の発電電力が供給される電力負荷として、相違点２の構成とすることは、当業者が容易に想到し得る。
相違点３について
　引用発明においては、貯湯タンクの蓄熱量を測定する温度検知器が貯湯タンクに複数配置されている。また、表示器には、貯湯タンクに貯まっているお湯の量が４段階で、蓄電池の充電状態が５段階で表示される。さらに、制御器内の記憶部には電力負荷の電力需要データが随時記録されている。
　よって、制御器が貯湯タンクに貯まっているお湯の量、蓄電池の充電状態、電力負荷の電力需要の各情報を用いていることは明らかである。
　したがって、制御器にこれらの情報を取得する情報取得部を備えて、相違点３の構成とすることは、当業者が容易に想到し得る。
相違点４について
　引用発明において、制御器内の記憶部には電力負荷の電力需要データが随時記録されているから、熱電併給システムが電力負荷の電力需要データを計測する装置を備えることは、明らかである。そして、消費電力を通信により取得することは周知である（例えば、原査定の拒絶の理由に引用された特開２０１３−２１９９３５号公報の【００２４】ないし【００２９】及び図１ないし２、国際公開第２０１３／１４１０３９号の［0014］ないし［0015］及び図１参照）。
　したがって、引用発明において、制御部が、計測装置との通信により、熱電併給装置の発電電力が供給される電力負荷の電力需要データを取得して、相違点４の構成とすることは、当業者が適宜為し得る。
　また、明細書に記載された本件補正発明が奏する効果についてみても、本件補正発明の構成のものとして当業者であれば予測し得る程度のものに過ぎず、格別顕著なものがあるとは認められない。
　したがって、本件補正発明は、引用例に記載された発明及び周知技術に基づいて当業者が容易に発明をすることができたものであり、特許法第２９条第２項の規定により、特許出願の際独立して特許を受けることができないものである。
　なお、請求人は、上申書において、「特定負荷」のみを想定して、「一般負荷」を想定していない引用例に記載された発明に、特定負荷と一般負荷とを備える周知技術を適用することには阻害要因がある旨主張している。
　しかしながら、引用発明においては、「負荷」に「特定負荷」と「一般負荷」との区別がないとするのがごく普通の解釈であって、該「負荷」を「特定負荷」と「一般負荷」とに区別して取り扱う周知技術を適用することに阻害要因があるとはいえない。
　したがって、請求人の主張を採用することはできない。
５．本件補正についてのむすび
　以上のとおり、本件補正は、特許法第１７条の２第６項において準用する同法第１２６条第７項の規定に違反するので、同法第１５９条第１項において読み替えて準用する同法第５３条第１項の規定により却下すべきものである。
第３　本願発明について
１．本願発明
　平成２９年１２月１２日付けの手続補正は、上記のとおり却下されたので、本願の請求項１ないし８に係る発明は、平成２９年７月１８日付けの手続補正により補正された特許請求の範囲の請求項１ないし８に記載された事項により特定されるものであるところ、請求項１に係る発明（以下「本願発明」という。）は、上記「第２［理由］１．」に本件補正前の請求項１として記載したとおりのものである。
２．引用例
　原査定の拒絶の理由で引用された引用例及びその記載事項は、上記「第２［理由］２．」に記載したとおりである。
３．対比・判断
　本願発明は、上記「第２［理由］３．及び４．」で検討した本件補正発明から、発明特定事項である「負荷」について「
複数の
特定
停電時に
特定
　そうすると、本願発明の構成要件を全て含み、さらに他の構成要件を付加したものに相当する本件補正発明が、上記「第２［理由］３．及び４．」に記載したとおり、引用例に記載された発明及び周知技術に基づいて当業者が容易に発明をすることができたものであるから、本願発明も、上記削除された構成に係る対比・判断を除いて、同様の理由により、引用例に記載された発明及び周知技術に基づいて当業者が容易に発明をすることができたものである。
４．むすび
　以上のとおり、本願の請求項１に係る発明は、特許法第２９条第２項の規定により特許を受けることができない。
　したがって、本願は、その余の請求項について論及するまでもなく拒絶すべきものである。
　よって、結論のとおり審決する。